(57)【要約】【課題】作業者が手動により抵抗体の突出量を調節する必要がない精穀機の抵抗体調節装置を提供する。【解決手段】除糠金網筒は、平面視において円周方向で複数に分割した除糠金網筒部２８と、該複数に分割した除糠金網筒部２８の各両側縁を固定するために互いに円周方向で間隙を空けて立設した複数の支柱３３とからなり、各支柱３３には、研削式精白ロール２６の円周方向への穀粒の移動に抵抗を付与する長尺状の抵抗体３４を設けるとともに、該抵抗体３４は、弾性体３７によって精白室３０内へ向けて突出した位置に付勢され、さらに、精白室３０内から離れる位置へ半径方向に移動自在に設けられていることを特徴とする。【選択図】図３
2014039888.tif 000002
【特許請求の範囲】
【請求項１】
上下方向に立設された除糠金網筒と、該除糠金網筒内に回転可能に設けられた主軸と、該主軸に多数の研削式精白ロールを軸着して前記除糠金網筒との間を精白室に形成した一体的な研削式精白ロール体と、前記除糠金網筒の外周側に形成される除糠室と、を備えた研削式竪型精穀機であって、
前記除糠金網筒は、平面視において円周方向で複数に分割した除糠金網筒部と、該複数に分割した除糠金網筒部の各両側縁を固定するために互いに円周方向で間隙を空けて立設した複数の支柱とからなり、前記各支柱には、前記研削式精白ロールの円周方向への穀粒の移動に抵抗を付与する長尺状の抵抗体を設けるとともに、該抵抗体は、弾性体によって前記精白室内へ向けて突出した位置に付勢され、さらに、前記精白室内から離れる位置へ半径方向に移動自在に設けられていることを特徴とする精穀機の抵抗体調節装置。
【請求項２】
前記各支柱には、前記抵抗体の前記精白室内へ向けて突出した位置の付勢力を調節するため、調圧ダイヤルの回動位置により付勢力の調節ができる抵抗体調節装置を設けてなる請求項１記載の竪型研削式精穀機の抵抗体調節装置。
【請求項３】
前記抵抗体は、軸方向に延びる長尺板状に形成され、その一端縁と前記支柱とが蝶番により支持される一方、他端縁が前記抵抗体調節装置に連係されて前記蝶番を中心に回動可能に形成されてなる請求項２記載の竪型研削式精穀機の抵抗体調節装置。
【請求項４】
前記支柱に外気取入口を穿設するとともに、前記蝶番を中心に回動可能に形成した抵抗体と前記支柱との間隙には、前記精白室に向かって噴風を行う噴風口を設けてなる請求項３記載の竪型研削式精穀機の抵抗体調節装置。
【発明の詳細な説明】
【技術分野】
【０００１】
本発明は、精穀機の抵抗体調節装置に関するものである。
【背景技術】
【０００２】
従来の精穀機として特許文献１に記載されたものがある。この精穀機について図面を参照しながら説明する。図１１は従来の精穀機の精穀部横断面図であり、複数の研削ロール１０２と複数のスペーサー１０３とを縦方向に交互に積み重ねて研削ロール体に形成し、これを主軸１０１に嵌装した状態の研削ロール１０２の一部が示されている。この図において、研削ロール１０２の半径方向外側には、精白室１０４を形成すべく、研削ロール１０２から間隔をおいて囲繞されるように多孔性筒状体１０５が設けられる。この多孔性筒状体１０５は、互いに円周方向で隣接する支柱１０６間に配置されており、図１１では４つの支柱１０６と４つの多孔製筒状体１０５が示されている。そして、各支柱１０６には、精白室１０４側に突出して研削ロール１０２の円周方向への穀粒の移動に抵抗を付与する抵抗体１０７が設けられる。この抵抗体１０７は、主軸１０１の軸方向に長尺状に鉛直配置されている。
【０００３】
さらに、各支柱１０６には、各抵抗体１０７の半径方向への突出量を独立に調整する突出量調整手段１０８が設けられ、手動により抵抗体１０７の突出量が調節される（図１１の矢印参照）。なお、図中の符号１０９は支柱カバーであり、符号１１０は除糠室カバーであり、符号１１１は精穀後の穀粒を排出する穀粒排出樋である。
上記構成の作用を説明すると、各支柱１０６に設けた突出量調整手段１０８によりそれぞれの抵抗体１０７と研削ロール１０２外周面との間隔を独立に調整し得るので、精白室１０４内での穀粒の流動に対する抵抗を独立に調整し得て、ひいては、原料の性状や製品として求められる形状などに応じて、米粒の流れに対する抵抗状態を細かく調整・変更できるというメリットがある。
【０００４】
しかし、上記精穀機にあっては、各支柱１０６に設けられる突出量調整手段１０８が複数存在するために（図１１では円周方向に４カ所示され、さらに、主軸１０７方向に複数ヵ所設ける場合がある。）、調整に長時間を要するという問題がある。また、作業者によっては突出量調整手段１０８による調整が不慣れな場合もあり、抵抗体１０７と研削ロール１０２外周面との間隙が極端に狭く設定されると、間隙に米粒が挟まれて砕米が発生するといった問題があった。
【先行技術文献】
【特許文献】
【０００５】
【特許文献１】特許第３２６６１６７号公報
【発明の概要】
【発明が解決しようとする課題】
【０００６】
上記問題点を解決するため本発明は、作業者が手動により抵抗体の突出量を調節する必要がない精穀機の抵抗体調節装置を提供することを技術的課題とする。
【課題を解決するための手段】
【０００７】
上記課題を解決するため本発明は、上下方向に立設された除糠金網筒と、該除糠金網筒内に回転可能に設けられた主軸と、該主軸に多数の研削式精白ロールを軸着して前記除糠金網筒との間を精白室に形成した一体的な研削式精白ロール体と、前記除糠金網筒の外周側に形成される除糠室と、を備えた研削式竪型精穀機であって、前記除糠金網筒は、平面視において円周方向で複数に分割した除糠金網筒部と、該複数に分割した除糠金網筒部の各両側縁を固定するために互いに円周方向で間隙を空けて立設した複数の支柱とからなり、前記各支柱には、前記研削式精白ロールの円周方向への穀粒の移動に抵抗を付与する長尺状の抵抗体を設けるとともに、該抵抗体は、弾性体によって前記精白室内へ向けて突出した位置に付勢され、さらに、前記精白室内から離れる位置へ半径方向に移動自在に設けられていることを特徴とする。
【０００８】
請求項２記載の発明によれば、前記各支柱には、前記抵抗体の前記精白室内へ向けて突出した位置の付勢力を調節するため、調圧ダイヤルの回動位置により付勢力の調節ができる抵抗体調節装置を設けたことを特徴とする。
【０００９】
請求項３記載の発明によれば、前記抵抗体は、軸方向に延びた長尺板状の抵抗体となし、その一端縁を蝶番により前記支柱に支持させる一方、前記抵抗体調節装置に連係させて前記蝶番を中心に前記抵抗体の他端縁が回動可能に形成されていることを特徴とする。
【００１０】
請求項４記載の発明によれば、前記支柱に外気取入口を穿設するとともに、前記蝶番を中心に回動可能に形成した抵抗体と前記支柱との間隙には、前記精白室に向かって噴風を行う噴風口を設けたことを特徴とする。
【発明の効果】
【００１１】
本発明は、上下方向に立設された除糠金網筒と、該除糠金網筒内に回転可能に設けられた主軸と、該主軸に多数の研削式精白ロールを軸着して前記除糠金網筒との間を精白室に形成した一体的な研削式精白ロール体と、前記除糠金網筒の外周側に形成される除糠室と、を備えた研削式竪型精穀機であって、前記除糠金網筒は、平面視において円周方向で複数に分割した除糠金網筒部と、該複数に分割した除糠金網筒部の各両側縁を固定するために互いに円周方向で間隙を空けて立設した複数の支柱とからなり、前記各支柱には、前記研削式精白ロールの円周方向への穀粒の移動に抵抗を付与する長尺状の抵抗体を設けるとともに、該抵抗体は、弾性体によって前記精白室内へ向けて突出した位置に付勢され、さらに、前記精白室内から離れる位置へ半径方向に移動自在に設けられているから、穀粒が順次精白室に送り込まれて精穀する際にあらかじめ抵抗体の突出量が設定されており、作業者が手動により抵抗体の突出量を調節する必要はない。すなわち、抵抗体が弾性体によって精白室内へ向けて突出した位置に付勢されており、この状態では、精白室内の穀粒は低圧力のもとで活発な流動作用（公転や自転）を受けながら、研削式精白ロールの周面に接触することにより穀粒の表面層が削られることになる。そして、ある時期に、精白室内で砕粒（砕米）が発生するような高い圧力となってくると、穀粒の圧迫力により弾性体の弾性力を抗するようになり、抵抗体を精白ロールから離れる方向に自動的に移動するようになる。これにより、精白室では、砕粒（砕米）を生じることなく、所望の精白が行われ、人手により突出量を調節する手間がなくなる。
【００１２】
そして、前記各支柱には、前記抵抗体の前記精白室内へ向けて突出した位置の付勢力を調節するため、調圧ダイヤルの回動位置により付勢力の調節ができる抵抗体調節装置を設けてあるから、作業者が原料の性状や製品として求められる形状などに応じて、米粒の流れに対する抵抗状態を細かく調整・変更できるというメリットもある。
【００１３】
また、前記抵抗体は、軸方向に延びた長尺板状の抵抗体となし、その一端縁を蝶番により前記支柱に支持させる一方、前記抵抗体調節装置に連係させて前記蝶番を中心に前記抵抗体の他端縁が回動可能に形成されているので、図６に示すように、長尺板状の抵抗体の回動による角度で抵抗の強弱が調整でき、抵抗体と研削ロールとの間隙が極端に狭くなったとしても、容易に間隙を拡げることが可能であり、米粒が挟まれて砕米が発生するといった問題が減少する。
【００１４】
さらに、前記支柱に外気取入口を穿設するとともに、前記蝶番を中心に回動可能に形成した抵抗体と前記支柱との間隙には、前記精白室に向かって噴風を行う噴風口を設けたので、抵抗体と支柱との間隙が穀粒の通過しない領域であるため、噴風口を形成することで、穀粒の挟みや噛み込みが防止されるとともに、抵抗体自体の回動もスムーズに行われるようになる。
【図面の簡単な説明】
【００１５】
【図１】本発明の一実施形態を示す精穀機の縦断面図である。
【図２】本発明の精穀機の上部分を示す要部拡大断面図である。
【図３】本発明の精穀機の精穀部横断面図である。
【図４】本発明の精穀機の下部分を示す要部拡大断面図である。
【図５】ファン兼用型プーリの拡大斜視図である。
【図６】抵抗体の別の実施形態を示す精穀部横断面図である。
【図７】除糠金網筒を取り去った状態の研削精穀部を示す斜視図である。
【図８】抵抗体調節装置の内部構造を示す図６のＡ−Ａ断面図である。
【図９】研削精穀部に設けられる支柱と、該支柱に設けられる抵抗体と、抵抗体調節装置とを組み付けたときの斜視図である。
【図１０】本発明の一実施形態を示す精穀機の斜視図である。
【図１１】従来の精穀機の精穀部横断面図である。
【発明を実施するための形態】
【００１６】
本発明を実施するための形態を図面を参照しながら説明する。図１は本発明の一実施形態を示す精穀機の縦断面図であり、図２は本発明の精穀機の上部分を示す要部拡大断面図であり、図３は本発明の精穀機の精穀部横断面図であり、図４は本発明の精穀機の下部分を示す要部拡大断面図である。
【００１７】
（全体構成）
図１に示すように、本発明の一実施形態に係る精穀機１は、精穀すべき穀粒を供給する穀粒供給部２と、該穀粒供給部２より受け入れられた穀粒を下方へ移送しながら精穀する研削精穀部３と、該研削精穀部３で精穀された穀粒を排出する穀粒排出部４と、前記研削精穀部３において精白穀粒から分離された糠を集糠する集糠部５と、機体及び駆動源となるモータを支持するための本体ベース部６と、を主な構成要素として構成してある。
【００１８】
（穀粒供給部）
前記穀粒供給部２は、原料タンク（図示せず）などから供給される穀粒を受け入れる穀粒供給筒８と、該穀粒供給筒８に設けられて穀粒の受け入れを選択的に開放又は遮断するシャッター機構７と、前記穀粒供給筒８から受け入れた穀粒を円周方向へ放射状に分散させる円錐形状の案内体９と、該案内体９内方に配設された上部軸受部１０と、穀粒の供給流量を調節するための流量調節装置１１と、前記案内体９、上部軸受部１０及び流量調節装置１１を収容するカバー体１２と、前記流量調節装置１１から前記研削精穀部３へ穀粒を送り込むための搬送螺旋１３と、を備えている。
【００１９】
前記シャッター機構７は供給口１４に設けられた開閉弁１５と、前記穀粒供給筒８の外部に設けられ、前記開閉弁１５を開閉駆動させるエアーシリンダなどの開閉駆動部１６とを有している。
前記案内体９はその頂部が前記穀粒供給筒８直下に配設されており、該案内体９に落下した穀粒が、そのまま円錐部に沿って流下して放射状に均等に分散させる構造となっている。
前記上部軸受部１０は、軸受カバー１７と、該軸受カバー１７内に配設した軸受１８とで構成され、縦方向に立設した主軸１９の上部を回転可能に支持する。このとき、主軸１９と軸受１８との間には、キー２０によって嵌装されるカラー２１が設けられており、前記穀粒供給部２と研削精穀部３とを容易に分解できる構成となっている。すなわち、図２に示すように、研削精穀部３のケーシング２２から穀粒供給部２のカバー体１２を上方へ引き抜くと、主軸１９からカラー２１が抜脱し、穀粒供給部２と研削精穀部３とが分解される。これにより、研削精穀部３に設けられる精白ロールなどを交換する際はメンテナンス作業が非常に容易となり、作業時間も短縮されるようになる。
【００２０】
前記流量調節装置１１は、複数の開口部を有する固定板２３と、複数の開口部を有し、調節レバー２５によって回動する回動板２４とを備えている（図２参照）。そして、前記流量調節装置１１の下方には、前記研削精穀部３へ穀粒を送り込むため、前記主軸１９に軸着された搬送螺旋１３が回転可能に配設されている。
【００２１】
（研削精穀部）
前記研削精穀部３は、主軸１９に取り付けられた複数の研削式精白ロール２６と、該複数の研削式精白ロール２６相互の間に介挿したスペーサー２７と、該複数の研削式精白ロール２６を一体的な研削式精白ロール体となし、該研削式精白ロール体の周方向にわずかな間隙を介して立設された多孔壁部からなる除糠金網筒２８と、該除糠金網筒２８の周方向にさらに間隙を介して立設した除糠カバー２９と、を備え、前記除糠金網筒２８と前記研削式精白ロール２６との間に精白室３０を、前記除糠金網筒２８と前記除糠カバーとの間に除糠室３１をそれぞれ形成して主要部が構成される。
【００２２】
前記研削式精白ロール２６は横断面が同心円状で、外周の表面に研削用砥石の砥粒が全周に埋め込まれている。研削式精白ロール２６の研削部２６ａ（図４参照）はアーム部２６ｂを介してボス部２６ｃに連結する。複数の研削式精白ロール２６相互の間にはスペーサー２７が介挿されるが、スペーサー２７の存在しない空間部は、噴風口３２として精白室３０に臨ませてある（図３参照）。
【００２３】
除糠金網筒２８は縦割れ状に４分割に形成されており（図３参照）、研削式精白ロール２６の周囲に立設された４本の支柱３３によって除糠金網筒２８の各両側縁が固定される。さらに、各支柱３３の精白室３０側には、精白室３０の空間を狭める抵抗体３４が設けられている（図１，図３参照）。該抵抗体３４は主軸１９の軸方向に縦長に形成された直方体形状であり、各支柱３３の上下２ヵ所に取り付けた複数の支持ボルト３５により抵抗体３４の長尺方向の両端部が支持され、さらに、各支柱３３の中間部に取り付けた抵抗体調節装置３６により抵抗体３４を水平方向に摺動可能（出入調節可能）に形成されている。そして、抵抗体３４はバネ３７により精白ロール２６側に付勢されており、この付勢力は調圧ダイヤル３８の回動位置により調節できる構成となっている。
【００２４】
（穀粒排出部）
前記精白室３０の下端には、前記研削精穀部３により精穀された穀粒を排出する穀粒排出部４が配設される。該穀粒排出部４は、除糠金網筒２８の一部を開口して形成した排出口３９と、該排出口３９に接続した排出樋４０と、該排出樋４０に横架した軸４１に固着した分銅レバー４２と、該分銅レバー４２の一端側に枢着して前記排出口３９を閉鎖可能に対峙した抵抗板４３と、前記分銅レバー４２の他端側に移動可能に装着した分銅４４とを備えている。
【００２５】
（集糠部）
前記穀粒排出部４下方には、前記研削精穀部３において精白穀粒から分離された糠を集糠する集糠部５が配設される。該集糠部５は、前記除糠室３１下端部と連通する糠排出筒４５と、該糠排出筒４５からの糠を外部の糠吸引ファン４７へ移送する糠排出管４６とを備えている。そして、前記糠排出筒４５と前記糠排出管４６との連通部には、回転によって除糠風を発生させるファンの機能を有するプーリ４８が配設されている。このプーリ４８は、図５に示すように、回転することで羽根形状のアーム部４９によって下方向への除糠風が発生し、糠は、ボス部５０とリム部５１とアーム部４９とで囲まれる空間部５２を通過し、前記糠排出筒４５から糠排出管４６へ向けて糠排出が促進されるようになる。
【００２６】
前記プーリ４８の上部には、前記主軸１９を支持するための下部軸受部５３が配設される。該下部軸受部５３は、前記ケーシング２２に固設された軸受ケース５４に内装されており、前記プーリ４８の回転により主軸１９が回転可能となる構成である。符号５５は前記主軸１９に軸着した穀粒排出ロールであり、該穀粒排出ロール５５の上には、前述したように、多段状に複数の研削式精白ロール２６を積み重ねて研削精穀部３を形成することになる。
【００２７】
（本体ベース部）
機体下部の本体ベース部６の側部には、モータベース５６が付設してあり、該モータベース５６に駆動用モータ５７を固定するとともに、モータプーリ５８と前記プーリ４８との間にＶベルト５９を連動・連結して駆動用モータ５７の回転を主軸１９に伝達できる構成である。また、本体ベース部６には、本体ベース部６に対してモータベース５６を水平方向に相対的に移動させて、モータプーリ５８とプーリ４８との軸心距離を調節する移動装置６０が付設されている。
【００２８】
移動装置６０は、モータベース５６を水平方向に移動させるねじを引っ掛けるフック部６１と、外周にねじが切られた雄ねじ部６２と、該雄ねじ部６２と螺合する内ねじを本体ベース部６側に固設した雌ねじ部６３とによって構成される。そして、雄ねじ部６２の先端部６２ａをフック部６１に固定する一方、雄ねじ部６２の頭部近傍を雌ねじ部６３に螺合させることにより、モータプーリ５７とプーリ４７間に巻装されたＶベルト５９の長さが変わっても、その変化に応じた量だけ、雄ねじ部６２を回転させると、本体ベース部６とモータベース５６とが相対的に移動されるので、Ｖベルト５９を緩み無く、かつ適当な張力に保つことができる。
【００２９】
本体ベース部６の内部には、前記プーリ４８、モータプーリ５８及びＶベルト５９と干渉しないように前記糠排出管４６が横設される。
【００３０】
（作用）
以下、上記構成における作用、効果を説明する。
【００３１】
まず、駆動源となる駆動用モータ５７を作動させてプーリ４８、主軸１９及び研削式精白ロール２６を回転させた状態で、開閉駆動部１６により開閉弁１５を開放することにより、原料タンクなどに貯留されている穀粒が供給口１４から下方に落下する。落下した穀粒は、その下方にある案内体９によって円周方向に均等に分散されながら流下し、調整レバー２５によって適度な供給流量に調整されて搬送螺旋１３に送り込まれる。
【００３２】
搬送螺旋１３では、穀粒を順次精白室３０に送り込み、精白室３０では、穀粒は低圧力のもとで活発な流動作用（公転や自転）を受けながら、研削式精白ロール２６の周面に接触することにより穀粒の表面層が削られることになる。このとき、精白室３０の空間を狭める抵抗体３４がバネ３７により精白ロール２６側に付勢されているが、精白室３０内で砕粒（砕米）が発生するような高い圧力となってくると、穀粒の圧迫力によりバネ３７の弾性力を抗するようになり、抵抗体３４を精白ロール２６から離れる方向に移動するようになる。これにより、精白室３０では、砕粒（砕米）を生じることなく、所望の精白が行われるようになる。
【００３３】
そして、穀粒排出部４では、分銅４４の力を受けた抵抗板４３の押圧力に抗して穀粒が抵抗板４３を開くことで排出が行われ、排出樋４０を介して機外に取り出される。
【００３４】
また、集糠部５においては、主軸１９に軸着したプーリ４８が、ファン兼用型のプーリに形成されている。このため、除糠室３１の糠は、プーリ４８の回転による除糠風により、均等に吸引され、糠排出管４６側へ向けての排出が極めて効率よく行われるようになる。
【００３５】
（抵抗体の別の実施形態）
次に、上述した精白室３０の空間を狭める抵抗体３４および抵抗体調節装置３６につき、図６乃至図１０を参照して別の実施形態を説明する。
【００３６】
図６は図１の別実施形態の横断面図であり、図７は除糠金網筒を取り去った状態の研削精穀部を示す斜視図であり、図８は抵抗体調節装置の内部構造を示す図６のＡ−Ａ断面図である。図６乃至図８を参照すれば、精白室３０の空間を狭める抵抗体３４は、主軸１９の軸方向に縦長に形成され、かつ、蝶番６４を中心に回動可能に形成した長尺板形状であり（図７参照）、抵抗体３４一端縁と支柱３３とが蝶番６４により支持され、抵抗体３４他端縁が抵抗体調節装置３６により蝶番６４を中心に移動可能（回動可能）に形成されている。そして、抵抗体３４は抵抗体調節装置３６内に配設したバネ３７により精白ロール２６側に押し付けて付勢されており、この付勢力は調圧ダイヤル３８の回動位置により調節できる構成となっている。
【００３７】
次に、抵抗体調節装置３６の内部機構について図８を参照して説明する。前記除糠金網筒２８を固定する支柱３３には、抵抗体調節装置３６のカバー体３６ａが固設されるとともに、該カバー体３６ａから外方向に膨出するように抵抗体調節装置３６の本体３６ｂが固設される。該本体３６ｂにはねじ孔（図示せず）を穿設し、該ねじ孔にねじ軸６５を挿通するとともに、該ねじ軸６５と本体３６ｂとの隙間に摺動筒６６を嵌装する。そして、前記ねじ軸６５の先端部には、該ねじ軸６５に固設された固定バネ受座６７と、該ねじ軸６５に対して摺動可能な可動バネ受座６８と、前記ねじ軸６５の固定バネ受座６７および可動バネ受座６８との間に嵌装された第１バネ６９とを設け、可動バネ受座６８が第１バネ６９の弾性力を受けて水平方向に摺動可能となっている。一方、前記ねじ軸６５の後端側には、雄ねじ部６５ａを形成するとともに、該雄ねじ部６５ａには、前記摺動筒６６を図８上で左右方向に摺動させる調圧ダイヤル３８が螺合されている。符号７０は調圧ダイヤル３８を固定するためのロック部である。
【００３８】
さらに、図８に示すように、前記カバー体３６ａには、前記ねじ軸６５下方に該ねじ軸６５と平行な摺動軸７１が挿通され、該摺動軸７１の先端側が前記支柱３３の中央開口部３３ａに挿通される。そして、摺動軸７１の先端部７１ａがジョイント部７２を介して抵抗体３４に連結されている。摺動軸７1の先端側は、該摺動軸７１に固設された第２固定バネ受座７３と、摺動軸７１に対して摺動可能な第２可動バネ受座７４と、前記第２固定バネ受座７３および第２可動バネ受座７４との間に嵌装されたバネ３７とが設けられている。そして、前記第２可動バネ受座７４と前記可動バネ受座６８との間には、前記可動バネ受座６８の可動に伴って同じ変位量で前記第２可動バネ受座７４を可動させるための連結部材７５が橋架して設けられている。なお、符号８３は、研削式精白ロール２６と抵抗体３４との間隙の大きさを微調整することができる微調節ナットである。
【００３９】
以下、図８に示した抵抗体調節装置３６の作用について説明する。抵抗体３４の抵抗圧力を強くする場合は、調圧ダイヤル３８を時計方向に回動させるとよい。すなわち、調圧ダイヤル３８を雄ねじ部６５ａにねじ込むと、そのねじ込み量により底面３８ａに当接した摺動筒６６が図８の左方向に移動され、摺動筒６６の先端に当接した可動バネ受座６８が第１バネ６９の付勢力に抗して左方向に移動される。そして、連結部材７５により可動バネ受座６８の変位が第２可動バネ受座７４に伝達される。これにより、第２可動バネ受座７４が左方向に移動してバネ３７が圧縮され、弾性力が強められる。反対に、抵抗体３４の抵抗圧力を弱くする場合は、調圧ダイヤル７１を反時計方向に回動させるとよい。これにより、第２可動バネ受座７４が右方向に移動されるのに伴い、バネ３７が伸び、これにより弾性力が弱められるのである。
【００４０】
（外気取入れ構造について）
【００４１】
次に、穀粒供給部２と研削精穀部３とに設けられた外気取入れ構造について説明する。前記穀粒供給部２のカバー体１２には（図２、図１０参照）、その周壁に複数の外気取入口７６が設けられるとともに、流量調節装置１１に開口７７が設けられる。さらに、前記搬送螺旋１３の上面には、取り入れた外気を前記研削精穀部３内部に流通させる通風口７８が設けられている。
【００４２】
また、前記研削精穀部３の各支柱３３を覆う支柱カバー７９（図１０参照）においても、その周壁に複数の外気取入口８０が設けられる。すなわち、各支柱３３には、図７に示すように研削精穀部３内に外気を取り入れる外気取入口８１が設けられ、取り入れた外気は、研削精穀部３内部に流通させて、精穀により生じた糠を精白室３０から除糠室３１に速やかに移送できる構造となっている。
【００４３】
上記外気取入れ構造の作用について説明する。図２に示すように、穀粒供給部２においては、穀粒供給筒８から案内体９に穀粒が流下する際に、外気取入口７６から外気が取り入れられ、開口７７を経て通風口７８から搬送螺旋１３内部に流入することになる。そして、搬送螺旋１３内部からは研削式精白ロール２６の内部に向かって外気が送り込まれ、研削式精白ロール２６の噴風口３２から精白室３０へ向けて噴風が行われる。この精白室３０に噴風された風によって糠が除糠金網筒２８を通過して除糠室３１に至ることになる。
【００４４】
一方、図７に示すように、研削精穀部３においても、支柱３３に設けられた外気取入口８１から外気が取り入れられ、抵抗体３４裏面と支柱３３との間隙に形成された噴風口８２から精白室３０へ向けて噴風が行われる。抵抗体３４裏面と支柱３３との間隙は、穀粒の通過しない領域であり、噴風口８２を形成することで、穀粒の挟みや噛み込みが防止されるとともに、抵抗体３４の回動がスムーズになる。そして、噴風口８２から精白室３０に噴風される風は、前記噴風口３２から精白室３０に噴風される風と相俟って、精白室３０内の糠を確実に除糠室３１へ移送するように作用する。
【００４５】
以上説明したように、各支柱３３には、研削式精白ロール２６の円周方向への穀粒の移動に抵抗を付与する長尺状の抵抗体３４を設けるとともに、該抵抗体３４は、弾性体３７によって精白室３０内へ向けて突出した位置に付勢され、さらに、精白室３０内から離れる位置へ半径方向に移動自在に設けられているから、穀粒が順次精白室３０に送り込まれて精穀する際にあらかじめ抵抗体３４の突出量が設定されており、作業者が手動により抵抗体３４の突出量を調節する必要はない。すなわち、抵抗体３４が弾性体３７によって精白室内へ向けて突出した位置に付勢されており、この状態では、精白室３０内の穀粒は低圧力のもとで活発な流動作用（公転や自転）を受けながら、研削式精白ロール２６の周面に接触することにより穀粒の表面層が削られることになる。そして、ある時、精白室３０内で砕粒（砕米）が発生するような高い圧力となってくると、穀粒の圧迫力により弾性体３７の弾性力を抗するようになり、抵抗体３４を精白ロール２６から離れる方向に自動的に移動するようになる。これにより、精白室３０では、砕粒（砕米）を生じることなく、所望の精白が行われ、人手により突出量を調節する手間がなくなるといったメリットが生じる。
【産業上の利用可能性】
【００４６】
本発明は、縦型または横型の精穀機に適用することができる。
【符号の説明】
【００４７】
１    精穀機
２    穀粒供給部
３    研削精穀部
４    穀粒排出部
５    集糠部
６    本体ベース部
７    シャッター機構
８    穀粒供給筒
９    案内体
１０    上部軸受部
１１    流量調節装置
１２    カバー体
１３    搬送螺旋
１４    供給口
１５    開閉弁
１６    開閉駆動部
１７    軸受カバー
１８    軸受
１９    主軸
２０    キー
２１    カラー
２２    ケーシング
２３    固定板
２４    回動板
２５    調節レバー
２６    研削式精白ロール
２７    スペーサー
２８    除糠金網筒
２９    除糠カバー
３０    精白室
３１    除糠室
３２    噴風口
３３    支柱  
３４    抵抗体
３５    支持ボルト
３６    抵抗体調節装置
３７    バネ
３８    調圧ダイヤル
３９    排出口
４０    排出樋
４１    軸
４２    分銅レバー
４３    抵抗板
４４    分銅
４５    糠排出筒
４６    糠排出管
４７    糠吸引ファン
４８    プーリ
４９    アーム部
５０    ボス部
５１    リム部
５２    空間部
５３    下部軸受部
５４    軸受ケース
５５    穀粒排出ロール
５６    モータベース
５７    駆動用モータ
５８    モータプーリ
５９    Ｖベルト
６０    移動装置
６１    フック部
６２    雄ねじ部
６３    雌ねじ部
６４    蝶番（支点）
６５    ねじ軸
６６    摺動筒
６７    固定バネ受座
６８    可動バネ受座
６９    第１バネ
７０    ロック部
７１    摺動軸
７２    ジョイント部
７３    第２固定バネ受座
７４    第２可動バネ受座
７５    連結部材
７６    外気取入口
７７    開口
７８    通風口
７９    支柱カバー
８０    外気取入口
８１    外気取入口
８２    噴風口
８３    微調節ナット
【図１】
2014039888.tif 000003
【図２】
2014039888.tif 000004
【図３】
2014039888.tif 000005
【図４】
2014039888.tif 000006
【図５】
2014039888.tif 000007
【図６】
2014039888.tif 000008
【図７】
2014039888.tif 000009
【図８】
2014039888.tif 000010
【図９】
2014039888.tif 000011
【図１０】
2014039888.tif 000012
【図１１】
2014039888.tif 000013